(57)【要約】【課題】ねじ込む速度が速く、締結に必要な力を少なくし、目的物を割らずにねじ屑を完全に排出可能なねじを提供する。【解決手段】シャンク中間部に形成される一条のねじ山２の他に、下向き錐状突起部に二条の穴あけねじ山４を形成し、ねじを目的物にねじ込む時に先に穴をあけてねじを容易にねじこむことができる。加えて、穴あけねじ山４とシャンク中間部の一条ねじ山２との間に複数の穴拡大ねじ山３を形成することで、穴あけねじ山４であけられた穴を更に押し広げてシャンクが目的物の中に進入でき、目的物を割ることなくねじ屑を排出することができる。また、ねじ頭上部に設置されているフランジとねじ頭下部の底縁外周囲にリング状の複数の爪歯１３、１４を設けて、ねじが目的物にねじこまれた状態を堅固に保持することができる。【選択図】図１
0003162311.tif 000002
【実用新案登録請求の範囲】
【請求項１】
二条の穴あけねじ山が形成される下向きの錐状突起部と、
前記錐状突起部の上方に延び、軸方向の中間部に一条ねじ山、及び、軸方向の下方部に多条の穴拡大ねじ山が形成されるシャンクと、
前記シャンクの上端に形成されるねじ頭と、
を備え、
前記シャンクの前記穴拡大ねじ山は、前記シャンクの前記一条ねじ山の下端と前記錐状突起部の前記穴あけねじ山の上端の間に形成され、
前記穴拡大ねじ山は、下向きの傾斜角度をもつ上段部、及び、上向きの傾斜角度を持つ下段部から構成され、
前記上段部の前記下向きの傾斜角度は、前記下段部の前記上向きの傾斜角度よりも小さく、
前記上段部の前記下向きの傾斜角度と前記下段部の前記上向きの傾斜角度との和は、９０度以上であることを特徴とするねじ。
【請求項２】
前記ねじ頭の上部の外径は下部の外径より大きく、前記ねじの頭上部に形成されるフランジの底縁外周囲と、前記ねじ頭の下部の底縁外周囲いずれにもリング状の複数の爪歯が設けられていることを特徴とする請求項１に記載のねじ。
【考案の詳細な説明】
【技術分野】
【０００１】
本考案はねじに関する。
【背景技術】
【０００２】
従来の目的物を固く締め付けるねじには、異なる目的を達成する為にさまざまな設計がある。一般的にねじの設計に要求される点として、ねじ込む速度とねじ屑の排出速度が速く、目的物が割れないことが挙げられる。そのため、ねじの設計には一条のねじ山や二条のねじ山、ねじ角度が一律同じものや変化するものなどがある。
【考案の概要】
【考案が解決しようとする課題】
【０００３】
目的物の材質や特性の差異を考慮して、金属、プラスチック、木材などそれぞれの材料に適合したねじが使用される。しかし、硬質木材を目的物とした場合、ねじをねじ込む時に目的物が割れ易い欠点がある。
【０００４】
上述の目的物に使用される従来のねじの欠点を改善し、ねじ込む速度が速く、締結に必要な力を少なくし、木材やプラスチックを割らないでねじ屑を完全に排出可能なねじを提供する。
【課題を解決するための手段】
【０００５】
本考案のねじは、二条の穴あけねじ山が形成される下向き錐状突起部と、その上方に延び、軸方向の中間部に一条のねじ山と軸方向の下方部に多条の穴拡大ねじ山が形成されるシャンクと、シャンク上端に形成されるねじ頭を含む。
シャンクの穴拡大ねじ山は、シャンクの軸方向中間部にある一条のねじ山の下端と、下向きの錐状突起部にある二条の穴あけねじ山の上端の間に形成される。この穴拡大ねじ山は、下向きの傾斜角度をもつ上段部と、上向きの傾斜角度を持つ下段部から構成される。上段部の下向き傾斜角度は、下段部の上向き傾斜角度より小さく、また上段部の上向き傾斜角度と下段部の上向き傾斜角度の和は９０度以上となるように形成される。この穴拡大ねじ山により、錐状突起部の穴あけねじにより形成されたねじ穴を押し広げることとなり、ねじをねじ込む時に目的物を割ることなく、ねじ屑を排出することができる。
また、シャンク上方にあるねじ頭の上部外径は下部外径より大きく、ねじ頭上部に形成されるフランジとねじ頭下部のそれぞれ底縁外周囲には、リング上の複数の爪歯が設けられている。この爪歯により、ねじが目的物にねじ込まれた時に目的物に食い込み、ねじ込まれた状態を堅固に保持することができる。
【図面の簡単な説明】
【０００６】
【図１】本考案の一実施例によるねじの側面図である。
【図２】本考案の一実施例によるねじの図１に係るII−II線断面図である。
【図３】本校案の一実施例によるねじの部分拡大図である。
【考案を実施するための形態】
【０００７】
（一実施例）
本考案の一実施例によるねじを図１から図３に基づいて説明する。このねじは、図１に示す通り下向き錐状突起部１１と錐状突起部１１の上方に伸びるシャンク１０とシャンク１０の上端に形成されるねじ頭１とから構成される。
【０００８】
下向き錐状突起部１１には二条の穴あけねじ山４が形成される、この穴あけねじ山４は尖末端１１０まで延びていてもよく、延びていなくてもよい。
【０００９】
シャンク１０は中間部に一条のねじ山２が形成され、ねじ山２の下端部は錐状突起部１１にある二条の穴あけねじ山４の上端部とはある一定の間隔で離れている。このねじ山２とねじ山３の間隔に穴拡大ねじ山３を形成する。ここで穴拡大ねじ山３の上段部３Ａの傾斜角度Ａは、下段部３Ｂの傾斜角度Ｂよりも小さくしている。上段部３Ａの傾斜角度Ａと下段部３Ｂの傾斜角度の和は９０度以上である。
【００１０】
ねじ頭１は厚みを持ち、その外径は上部が下部より大きく、上段にはフランジ１２を設ける。また、フランジ１２の底縁外周囲およびねじ頭１の下部の底縁外周囲には、リング状の複数の爪歯１３、１４が形成される。
【００１１】
本実施例のねじは、通常のねじ山の他に穴あけねじ山と穴拡大ねじ山を追加しているので、木材（特に硬質のもの）の中にねじこむ時、穴をあけながら目的物の中に進行するため、力が節約される上木材を割らずに削られた木屑は完全に外に排出される効果がある。
【００１２】
（他の実施例）
上記の実施例では、ねじ山２とねじ山４の間隔に三条の穴拡大ねじ山３を形成する。本考案では、穴拡大ねじ山は必ずしもその数を三条に限ることはない。穴拡大ねじ山の旋回方向は、穴拡大ねじ山を間隔におく両側のねじ山と同じでも異なってもよい。
前述の実施形態において、ねじ山の条数、穴拡大ねじ山段部の傾斜角度、ねじ頭の形状等で使用された語彙ならびに説明は、本考案の好ましい実施形態の説明を目的とし、本考案になんらの制限を加えるものではない。よって、本考案の分野を熟知する者は、本考案に開示された内容に基づいて、形状の変更により実現される変化、効果を容易に想到できるものであり、これらは本考案の実用新案登録請求の範囲に含まれる。
【符号の説明】
【００１３】
１    ・・・ねじ頭、          
１０  ・・・シャンク、        
１１  ・・・錐状突起部、      
１１０・・・尖末端、          
１２  ・・・フランジ、          
１３  ・・・爪歯１、              
１４  ・・・爪歯２、
２    ・・・ねじ山、
３    ・・・穴拡大ねじ山、
３Ａ  ・・・上段部、
３Ｂ  ・・・下段部、
４    ・・・穴あけねじ山、
Ａ    ・・・穴拡大ねじ山の上段部の下向き傾斜角度、
Ｂ    ・・・穴拡大ねじ山の下段部の上向き傾斜角度。
【図１】
0003162311.tif 000003
【図２】
0003162311.tif 000004
【図３】
0003162311.tif 000005